(57)【要約】【課題】医用画像の画素数が表示可能画素数を超える場合であっても被写体領域画像の欠落なく医用画像を表示することが可能な医用画像表示装置を提供する。【解決手段】本発明に係る画像表示装置３によれば、表示画面上に表示すべき医用画像の画素数とモニタの表示画面上に表示可能な表示可能画素数とを比較し、比較の結果、医用画像の画素数が表示可能画素数を超える場合、表示すべき医用画像を複数の画像に分割して、分割された画像のそれぞれを複数のモニタの各表示画面上に表示させる。或いは、分割された画像のそれぞれをモニタの表示画面上に切り替えて表示させる。或いは、表示すべき医用画像内の被写体領域画像を抽出して複数の画像に分割し、分割された複数の画像が同一表示画面上に表示可能か否かを判断し、表示可能である場合に分割された複数の画像を同一表示画面上に分割表示させる。【選択図】図１
2005296052.tif 000002
【特許請求の範囲】
【請求項１】
表示画面上に医用画像を表示する１以上の表示手段と、
前記表示画面上に表示すべき医用画像の画素数と前記表示画面上に表示可能な表示可能画素数とを比較する比較手段と、
前記比較手段による比較の結果、前記医用画像の画素数が前記表示可能画素数を超える場合、前記表示すべき医用画像を複数の画像に分割して前記表示手段の同一又は異なる表示画面上に表示させる表示制御手段と、
を備えることを特徴とする医用画像表示装置。
【請求項２】
前記表示制御手段は、前記比較手段による比較の結果、前記医用画像の画素数が前記表示可能画素数を超える場合であって、かつ前記表示手段が複数の場合、前記表示すべき医用画像を複数の画像に分割し、分割された画像のそれぞれを前記複数の表示手段の各表示画面上に表示させることを特徴とする請求項１に記載の医用画像表示装置。
【請求項３】
前記表示制御手段は、前記比較手段による比較の結果、前記医用画像の画素数が前記表示可能画素数を超える場合、前記医用画像内の被写体領域画像を抽出して複数の画像に分割し、分割された複数の画像が前記表示手段の同一表示画面上に表示可能か否かを判断した結果、表示可能である場合に、前記分割された複数の画像を前記表示手段の同一表示画面上に分割した状態で表示させることを特徴とする請求項１に記載の医用画像表示装置。
【請求項４】
前記表示制御手段は、前記比較手段による比較の結果、前記医用画像の画素数が前記表示可能画素数を超える場合、前記表示すべき医用画像を複数の画像に分割し、分割された複数の画像のそれぞれを前記表示手段の表示画面上に切り替えて表示させることを特徴とする請求項１に記載の医用画像表示装置。
【請求項５】
前記表示制御手段は、前記分割された画像の相互に分割境界部近傍の画像が重複して含まれるように分割画像を生成することを特徴とする請求項１〜４の何れか一項に記載の医用画像表示装置。
【請求項６】
前記表示制御手段は、前記分割された画像の前記分割境界部近傍の画像が重複している領域を識別可能に表示することを特徴とする請求項５に記載の医用画像表示装置。
【請求項７】
表示画面上に医用画像を表示する１以上の表示手段を備えた医用画像表示装置における医用画像表示方法において、
前記表示画面上に表示すべき医用画像の画素数と前記表示画面上に表示可能な表示可能画素数とを比較する工程と、
前記比較の結果、前記医用画像の画素数が前記表示可能画素数を超える場合、前記表示すべき医用画像を複数の画像に分割して前記表示手段の同一又は異なる表示画面上に表示させる工程と、
を含むことを特徴とする医用画像表示方法。
【請求項８】
表示画面上に医用画像を表示する１以上の表示手段を備えた医用画像表示装置を制御するためのコンピュータに、
前記表示画面上に表示すべき医用画像の画素数と前記表示画面上に表示可能な表示可能画素数とを比較する機能と、
前記比較の結果、前記医用画像の画素数が前記表示可能画素数を超える場合、前記表示すべき医用画像を複数の画像に分割して前記表示手段の同一又は異なる表示画面上に表示させる機能と、
を実現させるためのプログラム。
【発明の詳細な説明】
【技術分野】
【０００１】
本発明は、表示画面上に医師が読影診断するための医用画像を表示する医用画像表示装置、医用画像表示方法及びプログラムに関する。
【背景技術】
【０００２】
従来、放射線を利用したＣＴ（Computed Tomography）、ＣＲ（Computed Radiography）、ＦＰＤ（Flat Panel Detector）、超音波診断装置、ＭＲＩ（Magnetic Resonance Imaging）、等の各種モダリティにより生成されたデジタル医用画像は、医師の読影診断の効率化を図るための各種処理が施され、ＣＲＴ（Cathode Ray Tube）モニタ等の医用画像表示装置に表示され、医師により表示画面上で読影観察される。或いは、各種画像処理が施された後、医用画像は、画像記録装置によりフィルム等の記録媒体上に記録されてハードコピー出力され、医師によりシャーカステン上で読影観察される。
【０００３】
医師が表示画面上で医用画像の読影観察する際、表示しようとする医用画像の画素数が医用画像表示装置の表示画面上に表示可能な画素数を超える場合には、表示可能画素数に合わせて医用画像を縮小し、縮小画像を医用画像表示装置の表示画面上に表示している。
【０００４】
しかしながら、縮小画像は、もとの医用画像に比べて解像力や視認性が低下するという問題が生じる。
【０００５】
そこで、このような問題への対策として、例えば、特許文献１には、縮小画像に階調強調を含む画像強調処理を施して表示する技術が開示されている。
【特許文献１】特開２００３−２４３１９号公報
【発明の開示】
【発明が解決しようとする課題】
【０００６】
ところで、モダリティにおいて生成される、微小な病変の診断に用いるための医用画像、例えば、乳房画像（マンモグラフィ）は、画素数が非常に大きくなっており（例えば、８０００×９０００画素）、その全画像を表示可能な表示性能を有する表示装置は少ない。そこで、一般的に、画像を縮小表示して画像全体を表示するようにしているが、画像を縮小すると、被写体領域画像の一部が欠落してしまうため、上述した特許文献１のように画像強調処理を施しても診断性能を低下させることとなってしまう。
【０００７】
本発明の課題は、医用画像の画素数が表示可能画素数を超える場合であっても被写体領域画像の欠落なく医用画像を表示することが可能な医用画像表示装置を提供することである。
【課題を解決するための手段】
【０００８】
上記課題を解決するため、請求項１に記載の医用画像表示装置は、
表示画面上に医用画像を表示する１以上の表示手段と、
前記表示画面上に表示すべき医用画像の画素数と前記表示画面上に表示可能な表示可能画素数とを比較する比較手段と、
前記比較手段による比較の結果、前記医用画像の画素数が前記表示可能画素数を超える場合、前記表示すべき医用画像を複数の画像に分割して前記表示手段の同一又は異なる表示画面上に表示させる表示制御手段と、
を備えることを特徴としている。
【０００９】
ここで、医用画像の画素数及び表示画面上の表示可能画素数は、それぞれ行方向の画素数及び列方向の画素数からなり、比較手段においては、行方向及び列方向の画素数をそれぞれ比較し、行方向又は列方向の少なくとも一方向の医用画像の画素数が表示画面上に表示可能な表示可能画素数を超える場合は、医用画像の画素数が表示可能画素数を超えると処理される。
【００１０】
請求項２に記載の発明は、請求項１に記載の発明において、
前記表示制御手段は、前記比較手段による比較の結果、前記医用画像の画素数が前記表示可能画素数を超える場合であって、かつ前記表示手段が複数の場合、前記表示すべき医用画像を複数の画像に分割し、分割された画像のそれぞれを前記複数の表示手段の各表示画面上に表示させることを特徴としている。
【００１１】
請求項３に記載の発明は、請求項１に記載の発明において、
前記表示制御手段は、前記比較手段による比較の結果、前記医用画像の画素数が前記表示可能画素数を超える場合、前記医用画像内の被写体領域画像を抽出して複数の画像に分割し、分割された複数の画像が前記表示手段の同一表示画面上に表示可能か否かを判断した結果、表示可能である場合に、前記分割された複数の画像を前記表示手段の同一表示画面上に分割した状態で表示させることを特徴としている。
【００１２】
請求項４に記載の発明は、請求項１に記載の発明において、
前記表示制御手段は、前記比較手段による比較の結果、前記医用画像の画素数が前記表示可能画素数を超える場合、前記表示すべき医用画像を複数の画像に分割し、分割された複数の画像のそれぞれを前記表示手段の表示画面上に切り替えて表示させることを特徴としている。
【００１３】
請求項５に記載の発明は、請求項１〜４の何れか一項に記載の発明において、
前記表示制御手段は、前記分割された画像の相互に分割境界部近傍の画像が重複して含まれるように分割画像を生成することを特徴としている。
【００１４】
請求項６に記載の発明は、請求項５に記載の発明において、
前記表示制御手段は、前記分割された画像の前記分割境界部近傍の画像が重複している領域を識別可能に表示することを特徴としている。
【００１５】
請求項７に記載の発明は、
表示画面上に医用画像を表示する１以上の表示手段を備えた医用画像表示装置における医用画像表示方法において、
前記表示画面上に表示すべき医用画像の画素数と前記表示画面上に表示可能な表示可能画素数とを比較する工程と、
前記比較の結果、前記医用画像の画素数が前記表示可能画素数を超える場合、前記表示すべき医用画像を複数の画像に分割して前記表示手段の同一又は異なる表示画面上に表示させる工程と、
を含むことを特徴としている。
【００１６】
請求項８に記載の発明は、
表示画面上に医用画像を表示する１以上の表示手段を備えた医用画像表示装置を制御するためのコンピュータに、
前記表示画面上に表示すべき医用画像の画素数と前記表示画面上に表示可能な表示可能画素数とを比較する機能と、
前記比較の結果、前記医用画像の画素数が前記表示可能画素数を超える場合、前記表示すべき医用画像を複数の画像に分割して前記表示手段の同一又は異なる表示画面上に表示させる機能と、
を実現させるためのプログラムであることを特徴としている。
【発明の効果】
【００１７】
請求項１、７、８に記載の発明によれば、表示画面上に医用画像を表示する１以上の表示手段を備えた医用画像表示装置において、表示画面上に表示すべき医用画像の画素数と表示画面上に表示可能な表示可能画素数とを比較し、比較の結果、医用画像の画素数が表示可能画素数を超える場合、表示すべき医用画像を複数の画像に分割して表示手段の同一又は異なる表示画面上に表示させる。従って、表示画面上に表示すべき医用画像の画素数が表示手段の表示画面上に表示可能な表示可能画素数を超える場合であっても、医用画像を複数の画像に分割して同一又は異なる表示画面上に表示するので、被写体領域画像の欠落なく医用画像を表示することが可能となり、診断性能の低下を防止することが可能となる。
【００１８】
請求項２に記載の発明によれば、医用画像の画素数が表示可能画素数を超える場合であって、かつ表示手段が複数の場合、表示すべき医用画像を複数の画像に分割し、分割された画像のそれぞれを複数の表示手段の各表示画面上に表示させる。従って、表示画面上に表示すべき医用画像の画素数が表示手段の表示画面上に表示可能な表示可能画素数を超える場合であっても、被写体領域画像の欠落なく医用画像を表示することが可能となり、診断性能の低下を防止することが可能となる。
【００１９】
請求項３に記載の発明によれば、医用画像の画素数が表示可能画素数を超える場合、医用画像内の被写体領域画像を抽出して複数の画像に分割し、分割された複数の画像が表示手段の同一表示画面上に表示可能か否かを判断した結果、表示可能である場合に、分割された複数の画像を表示手段の同一表示画面上に分割した状態で表示させる。従って、表示画面上に表示すべき医用画像の画素数が表示手段の表示画面上に表示可能な表示可能画素数を超える場合であっても被写体領域画像の欠落なく医用画像を表示することが可能となり、診断性能の低下を防止することが可能となる。
【００２０】
請求項４に記載の発明によれば、医用画像の画素数が表示可能画素数を超える場合、表示すべき医用画像を複数の画像に分割し、分割された複数の画像のそれぞれを表示手段の表示画面上に切り替えて表示させる。従って、表示画面上に表示すべき医用画像の画素数が表示手段の表示画面上に表示可能な表示可能画素数を超える場合であっても被写体領域画像の欠落なく医用画像を表示することが可能となり、診断性能の低下を防止することが可能となる。
【００２１】
請求項５に記載の発明によれば、分割された画像の相互に分割境界部近傍の画像が重複して含まれるように分割画像を生成するので、分割により被写体領域画像の一部が欠落することがなくなり、診断性能の低下を防止することが可能となる。
【００２２】
請求項６に記載の発明によれば、分割された画像の分割境界部近傍の画像が重複している領域を識別可能に表示するので、医師が画像が重複している領域を二重に診断してしまうことを防止することが可能となる。
【発明を実施するための最良の形態】
【００２３】
まず、本実施の形態の構成について説明する。
図１は、本実施の形態における医用画像システム１００の全体構成を示す概念図である。図１に示すように、医用画像システム１００は、画像生成装置１、画像処理装置２及び画像表示装置３がネットワークＮを介して、相互にデータ送受信可能なように接続されている。
【００２４】
なお、本実施の形態では、画像生成装置１、画像処理装置２及び画像表示装置３がネットワーク接続された例を説明するが、これに限らず、各装置が直接有線接続されたシステム構成であってもよい。また、各装置の台数及び設置場所は特に限定されない。
【００２５】
ネットワークＮは、ＬＡＮ（Local Area Network）やＷＡＮ（Wide Area Network）、インターネット等の様々な回線形態を適用可能である。なお、病院等の医療機関内で許可されるのであれば、無線通信や赤外線通信であってもよいが、重要な患者情報を含むため、送受信される情報は暗号化することが好ましい。また、病院内の通信方式としては、一般的に、ＤＩＣＯＭ（Digital Image and Communications in Medicine）規格が用いられており、上述したネットワークＮ上の各装置間の通信では、ＤＩＣＯＭ  ＭＷＭ(Modality Worklist Management）やＤＩＣＯＭ  ＭＰＰＳ（Modality Performed Procedure Step）が用いられる。
【００２６】
画像生成装置１は、例えば、ＣＲ（Computed Radiography）、ＦＰＤ（Flat Panel Detector）、ＣＴ（Computed Tomography）、ＭＲＩ（Magnetic Resonance Imaging）、超音波診断装置等のモダリティから構成され、人体を撮影し、撮影した画像をデジタル変換して、医用画像データを生成する装置である。
【００２７】
なお、画像生成装置１は上述したＤＩＣＯＭ規格に準拠した装置であり、医用画像データに対して、ＤＩＣＯＭの画像付帯情報（以下、付帯情報と称する）を入力させたり、自動生成したりすることができる。画像生成装置１は、生成された医用画像データとともにその付帯情報を医用画像データのヘッダ情報としてネットワークＮを介して画像処理装置２へ出力するものとするが、ＤＩＣＯＭ規格に不準拠の場合、図示しないＤＩＣＯＭ変換装置を用い、付帯情報を入力させることができる。
【００２８】
医用画像データの付帯情報としては、例えば、撮影された患者の患者氏名、患者ＩＤ、年齢、性別等の患者に関する患者情報、撮影日、検査ＩＤ、撮影部位、撮影条件（体位、撮影方向等）、画像生成装置（モダリティ種）等の撮影情報、医用画像データの画素数、サンプリングピッチ、ビット数等の画像データ情報が含まれる。
【００２９】
画像処理装置２は、画像生成装置１から供給される医用画像データに対し医師の読影診断の効率化を図るため、階調処理、周波数処理、ダイナミックレンジ圧縮処理を始めとする画像処理を施して画像表示装置３へ送信する装置である。
【００３０】
画像表示装置３は、医師が医用画像を表示して読影観察するための医用画像表示装置であり、画像処理装置２において画像処理された医用画像データに基づいて医用画像を表示画面上に表示する。
【００３１】
以下、画像表示装置３の内部構成について説明する。
図２は、画像表示装置３の機能的構成を示すブロック図である。図２に示すように、画像表示装置３は、ＣＰＵ３１、操作部３２、表示部３３、ＲＡＭ３４、記憶部３５、通信制御部３６等を備えて構成され、各部はバス３７により接続されている。
【００３２】
ＣＰＵ３１は、記憶部３５に記憶されているシステムプログラムを読み出し、ＲＡＭ３４内に形成されたワークエリアに展開し、該システムプログラムに従って各部を制御する。また、ＣＰＵ３１は、記憶部３５に記憶されている表示制御処理プログラムを始めとする各種処理プログラム、各種アプリケーションプログラムを読み出してワークエリアに展開し、後述する表示制御処理（図３参照）を始めとする各種処理を実行する。
【００３３】
操作部３２は、カーソルキー、数字入力キー、及び各種機能キー等を備えたキーボードと、マウス等のポインティングデバイスを備えて構成され、キーボードに対するキー操作やマウス操作により入力された指示信号をＣＰＵ３１に出力する。また、操作部３２は、表示部３３の表示画面にタッチパネルを備えても良く、この場合、タッチパネルを介して入力された指示信号をＣＰＵ３１に出力する。
【００３４】
表示部３３は、１以上のＬＣＤ（Liquid Crystal Display）やＣＲＴ等のモニタにより構成され、ＣＰＵ２１から入力される表示信号の指示に従って、表示画面上に医用画像を表示する。
【００３５】
ＲＡＭ３４は、ＣＰＵ３１により実行制御される各種処理において、記憶部３５から読み出されたＣＰＵ３１で実行可能な各種プログラム、入力若しくは出力データ、及びパラメータ等の一時的に記憶するワークエリアを形成する。
【００３６】
記憶部３５は、ＨＤＤ（Hard Disc Drive）や不揮発性の半導体メモリ等により構成され、ＣＰＵ３１で実行されるシステムプログラム、当該システムプログラムに対応する、表示制御処理プログラムを始めとする各種処理プログラム、各種アプリケーションプログラム、各種データ等を記憶する。これらの各種プログラムは、読取可能なプログラムコードの形態で格納され、ＣＰＵ３１は、当該プログラムコードに従った動作を逐次実行する。
【００３７】
通信制御部３６は、ＬＡＮアダプタやルータやＴＡ（Terminal Adapter）等を備え、ネットワークＮに接続された各装置との間の通信を制御する。
【００３８】
次に、本実施の形態における動作について説明する。
図３は、表示部３３のモニタの表示画面上に医用画像データに基づいて医用画像を表示する際にＣＰＵ３１により実行される表示制御処理を示すフローチャートである。ＣＰＵ３１は、記憶部３５に記憶された表示制御処理プログラムとの協働によるソフトウエア処理により当該処理を実行し、比較手段、表示制御手段を実現する。
【００３９】
まず、表示すべき医用画像の画素数Ｐ１が取得される（ステップＳ１）。画素数Ｐ１は、例えば、医用画像データの付帯情報から取得することが可能であり、画素数Ｐ１は、医用画像の行方向の画素数ｑ１及び列方向の画素数ｑ２を示す情報からなる。
【００４０】
次いで、画素数Ｐ１とモニタの表示画面の表示可能画素数Ｐ２が比較される（ステップＳ２）。画素数Ｐ２は、モニタの表示画面の行方向の表示可能画素数ｒ１及び列方向の表示可能画素数ｒ２を示す情報からなる。画素数Ｐ１とＰ２の比較は、行方向及び列方向の画素数の比較で行われ、両方向とも医用画像の画素数がモニタの表示可能画素数以下である場合、即ち、ｑ１がｒ１以下であり、かつｑ２がｒ２以下である場合、比較結果がＰ１≦Ｐ２と処理され、少なくとも一方向の医用画像の画素数がモニタの表示可能画素数を超えた場合、即ち、ｑ１がｒ１を超えたか或いはｑ２がｒ２を超えた場合は、比較結果がＰ１＞Ｐ２と処理される。なお、表示部３３に複数のモニタが接続されている場合には、表示可能画素数が最大のモニタの表示画面の画素数を表示可能画素数Ｐ２とする。
【００４１】
ステップＳ２における比較の結果、表示可能画素数Ｐ１≦Ｐ２である場合、即ち、表示すべき医用画像の画素数Ｐ１がモニタの表示画面の表示可能画素数Ｐ２以下である場合、モニタの表示画面上に当該医用画像が表示される（ステップＳ３）。
【００４２】
一方、Ｐ１＞Ｐ２である場合、即ち、表示すべき医用画像の画素数Ｐ１がモニタの表示画面の表示可能画素数Ｐ２を超える場合、表示部３３に複数のモニタが接続されているか否かが判断され（ステップＳ４）、複数のモニタが接続されている場合には（ステップＳ４；ＹＥＳ）、表示すべき医用画像が、その画素数Ｐ１と各モニタの画素数に応じて複数の画像に分割され（ステップＳ５）、分割された画像のそれぞれが複数のモニタの各表示画面上に表示される（ステップＳ６）。
【００４３】
ステップＳ４において、複数のモニタが接続されていない、即ち、接続されているモニタが１つであると判断された場合には（ステップＳ４；ＮＯ）、表示すべき医用画像内の被写体領域画像が抽出され（ステップＳ７）、この抽出された被写体領域画像が複数の画像に分割され（ステップＳ８）、この分割された複数の画像が同一表示画面上に表示可能であるか否かが判断され（ステップＳ９）、表示可能であると判断された場合には（ステップＳ９；ＹＥＳ）、被写体領域画像が同一表示画面上に分割した状態で表示される（ステップＳ１０）。
【００４４】
被写体領域画像の抽出は、例えば、医用画像データをそれぞれ解析し、被写体の輪郭線を抽出する等により行う。例えば、医用画像データのそれぞれの濃度データを適当な閾値を用いて２値化し、「０」と「１」の境界を追跡して輪郭線とし、この輪郭線及び撮影部位／体位、撮影方向に応じて被写体領域画像を決定する。或いは、人体領域又は人体内部の所定の解剖学的構造に対応する領域の輪郭線抽出方法（日本乳癌検診学会誌，Vol.17,No.1,pp87-102,1998、特開昭６３−２４０８３２号公報）を用いて被写体領域を決定するようにしてもよい。
【００４５】
また、抽出された被写体領域画像の分割数や分割方法は特に限定されないが、ここでは、例えば、被写体領域画像を上領域と下領域の２つの領域の画像に等分割し、分割された画像をモニタの表示画面の左右に表示することとする（図５参照）。このとき、ステップＳ９における、被写体領域画像が分割された複数の画像が同一表示画面上に表示可能であるか否かの判断は、例えば、分割された被写体領域画像の行方向の画素数をｑ３とすると、ｑ３×２がモニタの表示画面の行方向の画素数ｒ１以下であり、かつ分割された被写体領域画像の列方向の画素数ｑ４がモニタの表示画面の列方向の画素数ｒ２以下である場合に分割された複数の画像が同一表示画面上に表示可能であると判断される。
【００４６】
一方、ステップＳ９において、被写体領域画像を分割した複数の画像が同一表示画面上に表示可能ではないと判断された場合（ステップＳ９；ＮＯ）、表示すべき医用画像が複数の画像に分割され（ステップＳ１１）、分割された複数の画像が表示画面上に切り替え可能に表示される（ステップＳ１０）。
【００４７】
ステップＳ５、８、１１で医用画像又は医用画像内の被写体領域画像が分割される場合、分割された画像の相互に分割境界部近傍の画像が重複して含まれるように分割画像が生成される。これにより、医用画像内の被写体領域画像の一部が分割により欠落することを防止することが可能となる。ステップＳ６、１０、１２で分割された医用画像又は医用画像内の被写体領域画像を表示する際には、分割境界部近傍の画像が重複している領域の少なくとも一方に、例えば、重複領域の濃度を変える、重複領域を示す線を表示する、重複領域をハッチングにする等により、重複領域であることが識別可能に表示される。
【００４８】
図４に、ステップＳ６における画面表示例を示す。図４は、画像表示装置３に２台のモニタが接続されている場合の画面表示例である。図４において、表示しようとする医用画像Ｄ１の画素数は表示部３３の２つのモニタの画面Ｍ１、画面Ｍ２の各表示可能画素数より大きい。そこで、医用画像Ｄ１は上下に分割され、分割された画像のそれぞれが画面Ｍ１、Ｍ２のそれぞれに表示される。医用画像Ｄ１の分割の際には、分割された画像の相互に分割境界部近傍の画像が重複して含まれるように分割画像が生成される。画面Ｍ２のハッチングで示す領域Ｒ１は、画面Ｍ１と重複して表示された領域であることを示すものである。このように、医用画像の画素数がモニタの表示画面の表示可能画素数を超える場合であっても、医用画像を縮小せずに医用画像全体を被写体領域画像Ｏ１の画像の欠落がないように表示するので、医師は、画像生成装置１から得られた被写体領域画像の全てを診断に用いることが可能となり、診断性能の低下を防止することが可能となる。
【００４９】
図５に、ステップＳ１０における画面表示例を示す。図５において、表示しようとする医用画像Ｄ１の画素数はモニタの画面Ｍ３の表示可能画素数より大きい。そこで、医用画像Ｄ１内の被写体領域画像が抽出され、抽出された被写体領域画像は、上下に分割され、分割された２つの画像が同一の画面Ｍ３の左右に分割表示される。被写体領域画像の分割の際には、分割された画像の相互に分割境界部近傍の画像が重複して含まれるように分割画像が生成される。画面Ｍ３の右領域のハッチングで示す領域Ｒ２は、左領域に表示された画像と重複して表示された領域であることを示すものである。このように、医用画像の画素数がモニタ表示画面の表示可能画素数を超える場合であっても、医用画像を縮小せずに医用画像全体を被写体領域画像Ｏ１の画像の欠落がないように表示するので、医師は、画像生成装置１から得られた被写体領域画像の全てを診断に用いることが可能となり、診断性能の低下を防止することが可能となる。
【００５０】
図６に、ステップＳ１２における画面表示例を示す。図６において、表示しようとする医用画像Ｄ２の画素数はモニタの画面Ｍ４の表示可能画素数より大きい。そこで、医用画像Ｄ２は上下に分割され、分割された画像のうち上領域画像が画面Ｍ４に表示される。被写体領域画像の分割の際には、分割された画像の相互に分割境界部近傍の画像が重複して含まれるように分割画像が生成される。画面Ｍ４上には、画面切り替えボタンＢ１が表示され、このボタンＢ１が押下されると、分割された画像の下領域画像が画面Ｍ５に表示されるとともに、画面切り替えボタンＢ２が表示される。この画面切り替えボタンＢ２が押下されると、モニタの表示画面が上領域画像を表示する画面Ｍ４の表示に切り替わる。画面Ｍ５においてハッチングで示す領域Ｒ３は、上領域画像の表示と重複して表示された領域であることを示すものである。このように、医用画像の画素数がモニタ表示画面の表示可能画素数を超える場合であっても、医用画像を縮小せずに医用画像全体を被写体領域画像Ｏ２の画像の欠落がないように表示するので、医師は、画像生成装置１から得られた被写体領域画像の全てを診断に用いることが可能となり、診断性能の低下を防止することが可能となる。
【００５１】
以上説明したように、画像表示装置３によれば、表示画面上に表示すべき医用画像の画素数とモニタの表示画面上に表示可能な表示可能画素数とを比較し、比較の結果、医用画像の画素数が表示可能画素数を超える場合、表示すべき医用画像を複数の画像に分割して、分割された画像のそれぞれを複数のモニタの各表示画面上に表示させる。或いは、分割された画像のそれぞれをモニタの表示画面上に切り替えて表示させる。或いは、表示すべき医用画像内の被写体領域画像を抽出して複数の画像に分割し、分割された複数の画像が同一表示画面上に表示可能か否かを判断し、表示可能である場合に分割された複数の画像を同一表示画面上に分割表示させる。
【００５２】
従って、表示画面上に表示すべき医用画像の画素数がモニタの表示画面上に表示可能な表示可能画素数を超える場合であっても、被写体領域画像の欠落なく医用画像を表示することが可能となり、診断性能の低下を防止することが可能となる。
【００５３】
また、医用画像を分割する際には、分割された画像の相互に分割境界部近傍の画像が重複して含まれるように分割画像を生成するので、分割により被写体領域画像の一部が欠落することがなくなり、画像生成装置１から得られた被写体領域画像の全てを診断に用いることが可能となる。また、表示が重複している領域については、濃度を変える、重複領域を示す線を表示する、重複領域をハッチングにする等により、重複領域であることを識別可能に表示するので、医師が重複領域を二重に診断してしまうことがない。
【００５４】
なお、上記実施の形態における記述内容は、本発明に係る医用画像システム１００の好適な一例であり、これに限定されるものではない。
例えば、上記実施の形態においては、医用画像又は被写体領域画像を上下の２つに分割する例を説明したが、分割数、分割方法はこれに限定されない。
【００５５】
その他、医用画像システム１００を構成する各装置の細部構成及び細部動作に関しても、本発明の趣旨を逸脱することのない範囲で適宜変更可能である。
【図面の簡単な説明】
【００５６】
【図１】本発明に係る医用画像システム１００の全体構成を示す図である。
【図２】図１の画像表示装置３の機能的構成を示すブロック図である。
【図３】図２のＣＰＵ３１により実行される表示制御処理を示すフローチャートである。
【図４】図３のステップＳ６において表示部２３の２つのモニタに表示される画面Ｍ１、Ｍ２の一例を示す図である。
【図５】図３のステップＳ１０において表示部２３のモニタに表示される画面Ｍ３の一例を示す図である。
【図６】図３のステップＳ１２において表示部２３のモニタに表示される画面Ｍ４、Ｍ５の表示画面表示例を示す図である。
【符号の説明】
【００５７】
１００  医用画像システム
１  画像生成装置
２  画像処理装置
３  画像表示装置
３１  ＣＰＵ
３２  操作部
３３  表示部
３４  ＲＡＭ
３５  記憶部
３６  通信制御部
３７  バス
Ｎ  ネットワーク
【図１】
2005296052.tif 000003
【図２】
2005296052.tif 000004
【図３】
2005296052.tif 000005
【図４】
2005296052.tif 000006
【図５】
2005296052.tif 000007
【図６】
2005296052.tif 000008